(57)【要約】【課題】  安価な印刷媒体ユニットおよび安価な構成を用いて印刷媒体ユニット個々の情報管理を行うことができ、販売済みの印刷媒体ユニットについても、印刷媒体ユニット個々の情報管理を行うことができる。【解決手段】  パッケージＰの商品コードを読み取るコード読取装置２６と、コード読取装置２６による読取結果を受けて、商品コードを読み取ったテープカートリッジＣに固有ＩＤを割り当て、テープカートリッジＣの情報管理を行う情報管理サーバー２と、割り当てた固有ＩＤを印刷してテープカートリッジＣに貼付される貼付ラベルＬを作成するラベル作成装置２６と、貼付ラベルＬの固有ＩＤを読み取り、読み取った固有ＩＤが割り当てられたテープカートリッジＣの固有情報を、情報管理サーバー２から取得する情報取得装置２６と、を備えた。【選択図】図７
2015193113.tif 000002
【特許請求の範囲】
【請求項１】
印刷装置に使用される印刷媒体ユニット個々の情報管理を行う情報管理システムであって、
前記印刷媒体ユニット、または前記印刷媒体ユニットのパッケージに形成された商品コードを読み取るコード読取装置と、
前記コード読取装置による読取結果を受けて、前記商品コードを読み取った前記印刷媒体ユニットに固有ＩＤを割り当てると共に、前記固有ＩＤによって前記印刷媒体ユニットの情報管理を行う情報管理サーバーと、
前記印刷媒体ユニットに割り当てた前記固有ＩＤを印刷して当該印刷媒体ユニットに取り付けられるラベルを作成するラベル作成装置と、
前記ラベルに印刷された前記固有ＩＤを読み取り、読み取った前記固有ＩＤが割り当てられた印刷媒体ユニットの情報を、前記情報管理サーバーから取得する情報取得装置と、を備えたことを特徴とする情報管理システム。
【請求項２】
前記情報管理サーバーは、前記印刷媒体ユニットに備える印刷媒体の残量情報、および／または前記印刷媒体の使用残期間情報を管理することを特徴とする請求項１に記載の情報管理システム。
【請求項３】
前記情報管理サーバーは、前記印刷媒体ユニットにおける、前記読取結果に基づいて得られた印刷媒体の寸法情報、地色情報、材質情報、厚み情報、模様情報および光沢情報、並びにインクリボンの寸法情報および色情報の少なくとも一つを管理することを特徴とする請求項１または請求項２に記載の情報管理システム。
【請求項４】
前記ラベル作成装置は、前記固有ＩＤを、コード画像として印刷することを特徴とする請求項１ないし請求項３のいずれか一項に記載の情報管理システム。
【請求項５】
前記ラベル作成装置は、前記印刷媒体ユニットが用いられる前記印刷装置であることを特徴とする請求項１ないし請求項４のいずれか一項に記載の情報管理システム。
【請求項６】
前記ラベル作成装置は、前記コード読取装置が含まれていることを特徴とする請求項１ないし請求項５のいずれか一項に記載の情報管理システム。
【請求項７】
前記印刷媒体ユニットは、印刷テープおよびインクリボンを収容したテープカートリッジであることを特徴とする請求項１ないし請求項６のいずれか一項に記載の情報管理システム。
【請求項８】
固有ＩＤによって、印刷装置に使用される印刷媒体ユニット個々の情報管理を行う情報管理システムのラベル作成装置であって、
前記印刷媒体ユニット、または前記印刷媒体ユニットのパッケージに形成された商品コードを読み取るコード読取部と、
前記コード読取部による読取結果を受けて情報管理サーバーにより前記印刷媒体ユニットに割り当てられた固有ＩＤを、読み取り可能に印刷して、前記印刷媒体ユニットに取り付けられるラベルを作成するラベル作成部と、を備えたことを特徴とする情報管理システムのラベル作成装置。
【発明の詳細な説明】
【技術分野】
【０００１】
本発明は、印刷装置に使用される印刷媒体ユニット個々の情報管理を行う情報管理システムおよび情報管理システムのラベル作成装置に関するものである。
【背景技術】
【０００２】
従来、この種の情報管理システムとして、基材テープおよびカバーフィルムを内包したベースカートリッジおよび印字テープカートリッジと、ベースカートリッジおよび印字テープカートリッジを装着し、基材テープおよびカバーフィルムによりタグラベルを作成するラベル作成装置（無線タグ情報通信部）と、ベースカートリッジおよび印字テープカートリッジの情報を保持する情報サーバーと、を備えたものが記載されている。ベースカートリッジおよび印字テープカートリッジには、固有のＩＤナンバーを記憶した無線タグ回路素子がそれぞれ設けられており、ラベル作成装置は、この無線タグ回路素子からＩＤナンバーを読み取り、このＩＤナンバーによって、情報サーバーから、ベースカートリッジや印字テープカートリッジの情報を読み込む。これによって、ラベル作成装置で、ベースカートリッジ個々の基材テープの属性情報や残量情報、印字テープカートリッジ個々のカバーフィルムの属性情報や残量情報等を取得することができる。
【先行技術文献】
【特許文献】
【０００３】
【特許文献１】特開２００５−２８０２２４号公報
【発明の概要】
【発明が解決しようとする課題】
【０００４】
しかしながら、上記従来の情報管理システムでは、カートリッジ（ベースカートリッジおよび印字テープカートリッジ）が無線タグ回路素子を搭載している上、製造工程において、無線タグ回路素子にＩＤナンバーを書き込む必要がある。そのため、生産効率の低下やカートリッジが高価なものになってしまうという問題があった。また、カートリッジの販売前に、無線タグ回路素子にＩＤナンバーを書き込んでおく必要があるため、既に販売済みのカートリッジについて情報管理を行うことができないという問題もある。さらに言えば、ラベル作成装置に、無線タグ回路素子からＩＤナンバーを読み取るためのアンテナを設ける必要があるため、ラベル作成装置自体も高価になってしまうという問題があった。
【０００５】
本発明は、安価な印刷媒体ユニットおよび安価な構成を用いて印刷媒体ユニット個々の情報管理を行うことができ、販売済みの印刷媒体ユニットについても、印刷媒体ユニット個々の情報管理を行うことができる情報管理システムおよび情報管理システムのラベル作成装置を提供することを課題としている。
【課題を解決するための手段】
【０００６】
本発明の情報管理システムは、印刷装置に使用される印刷媒体ユニット個々の情報管理を行う情報管理システムであって、印刷媒体ユニット、または印刷媒体ユニットのパッケージに形成された商品コードを読み取るコード読取装置と、コード読取装置による読取結果を受けて、商品コードを読み取った印刷媒体ユニットに固有ＩＤを割り当てると共に、固有ＩＤによって印刷媒体ユニットの情報管理を行う情報管理サーバーと、印刷媒体ユニットに割り当てた固有ＩＤを印刷して当該印刷媒体ユニットに取り付けられるラベルを作成するラベル作成装置と、ラベルに印刷された固有ＩＤを読み取り、読み取った固有ＩＤが割り当てられた印刷媒体ユニットの情報を、情報管理サーバーから取得する情報取得装置と、を備えたことを特徴とする。
【０００７】
この場合、情報管理サーバーは、印刷媒体ユニットに備える印刷媒体の残量情報、および／または印刷媒体の使用残期間情報を管理することが好ましい。
【０００８】
また、情報管理サーバーは、印刷媒体ユニットにおける、読取結果に基づいて得られた印刷媒体の寸法情報、地色情報、材質情報、厚み情報、模様情報および光沢情報、並びにインクリボンの寸法情報および色情報の少なくとも一つを管理することが好ましい。
【０００９】
本発明のラベル作成装置は、固有ＩＤによって、印刷装置に使用される印刷媒体ユニット個々の情報管理を行う情報管理システムのラベル作成装置であって、印刷媒体ユニット、または印刷媒体ユニットのパッケージに形成された商品コードを読み取るコード読取部と、コード読取部による読取結果を受けて情報管理サーバーにより印刷媒体ユニットに割り当てられた固有ＩＤを、読み取り可能に印刷して、印刷媒体ユニットに取り付けられるラベルを作成するラベル作成部と、を備えたことを特徴とする。
【００１０】
これらの構成によれば、情報管理サーバーにより、印刷媒体ユニットに固有ＩＤを新たに割り当てると共に、ラベル作成装置により、新たに割り当てた固有ＩＤを印刷して、印刷媒体ユニットに取り付けられるラベル（以下、取付ラベル）を作成する構成であるため、作成し取り付けられた取付ラベルの固有ＩＤを読み取ることで、当該固有ＩＤにより、情報管理サーバーから印刷媒体ユニットの情報を取得することができる。このように、無線タグ回路素子を用いる必要がなく、また製造工程において、固有ＩＤの割当てや取付ラベルの作成・取り付けを行う必要がないため、印刷媒体ユニットを安価にすることができる。また、取付ラベルに印刷された固有ＩＤを読み取って、情報管理サーバーから情報を取得する構成であるため、情報取得装置（情報取得部）を安価にすることができる。さらに、販売後に、固有ＩＤの割当てや、取付ラベルの作成・取り付けを行うことができるので、既に販売された印刷媒体ユニットについても情報管理を行うことができる。またさらに、情報管理サーバーが、商品コードの読取結果を受けて、固有ＩＤの割当てを行う構成であるため、固有ＩＤの割当て時に、商品コードに基づいて得られた情報を、固有ＩＤに関連付けて記憶することができる。なお、ここにいう「印刷媒体」とは、印刷装置による印刷対象物を示すものである。
【００１１】
上記の情報管理システムにおいて、ラベル作成装置は、固有ＩＤを、コード画像として印刷することが好ましい。
【００１２】
この構成によれば、固有ＩＤを容易に読み取ることができるため、情報取得装置（情報取得部）をより安価にすることができる。
【００１３】
また、ラベル作成装置は、印刷媒体ユニットが用いられる印刷装置であることが好ましい。
【００１４】
この構成によれば、印刷装置を、取付ラベルを作成するラベル作成装置として利用することで、別途ラベル作成装置を備える必要がなく、情報管理システムを簡単な構成にすることができる。
【００１５】
さらに、ラベル作成装置は、コード読取装置が含まれていることが好ましい。
【００１６】
この構成によれば、ラベル作成装置に、コード読取装置が含まれていることで、別途コード読取装置を備える必要がなく、情報管理システムをより簡単な構成にすることができる。
【００１７】
一方、印刷媒体ユニットは、印刷テープおよびインクリボンを収容したテープカートリッジであることが好ましい。
【００１８】
この構成によれば、印刷媒体である印刷テープの情報のみならず、インクリボンの情報についても、情報管理を行うことができる。
【図面の簡単な説明】
【００１９】
【図１】本発明の第１実施形態にかかる情報管理システムを示したシステム構成図である。
【図２】テープカートリッジを示した斜視図である。
【図３】第１実施形態の情報管理システムを示したブロック図である。
【図４】第１実施形態におけるコード読取部廻りを示した斜視図である。
【図５】第１実施形態におけるコード読取部廻りを示した断面図である。
【図６】編集画面を示した図である。
【図７】第１実施形態の情報管理システムによる情報管理登録動作を示したフローチャートである。
【図８】第１実施形態の情報管理システムによるラベル作成動作を示したフローチャートである。
【図９】第２実施形態の情報管理システムの構成を示したブロック図である。
【図１０】第２実施形態におけるコード読取部廻りを示した斜視図である。
【図１１】第２実施形態の情報管理システムによる情報管理登録動作を示したフローチャートである。
【図１２】第３実施形態の情報管理システムの構成を示したブロック図である。
【図１３】第３実施形態の情報管理システムによるラベル作成動作を示したフローチャートである。
【図１４】第１実施形態の変形例におけるコード読取部廻りを示した断面図である。
【発明を実施するための形態】
【００２０】
以下、添付の図面を参照して、本発明の一実施形態にかかる情報管理システムおよび情報管理システムのラベル作成装置について説明する。本情報管理システムは、テープ印刷装置に使用される各テープカートリッジ（印刷媒体ユニット）に固有ＩＤを割り当て、固有ＩＤを用いて、テープカートリッジ個々の情報管理を行うものである。
【００２１】
［第１実施形態］
図１に示すように、情報管理システムＳＹは、テープカートリッジＣを使用するテープ印刷システム１と、テープカートリッジＣの情報管理を行う情報管理サーバー２とから構成されている。本実施形態では、情報管理システムＳＹとして、テープ印刷システム１を複数備えたものを例示する。各テープ印刷システム１と、情報管理サーバー２とは、ネットワークＮＷを介して接続されており、相互に通信可能に構成されている。
【００２２】
各テープ印刷システム１は、情報管理サーバー２に対してテープカートリッジＣの情報管理申請を行う機能と、情報管理サーバー２に対してテープカートリッジＣの情報提供申請を行う機能とを有している。すなわち、各テープ印刷システム１は、テープカートリッジＣのパッケージＰ（包装箱）に印刷された商品コードを読み取り、読み取った商品コード（流通情報、例えばＪＡＮコード等）を情報管理サーバー２に送信して、当該テープカートリッジＣの情報管理申請を行う。そして、情報管理サーバー２から、申請したテープカートリッジＣに割り当てられた固有ＩＤを受信し、受信した固有ＩＤを印刷して、テープカートリッジＣに貼り付けられるラベル（以下、貼付ラベルＬと呼称）を作成する。また、各テープ印刷システム１は、テープカートリッジＣに貼り付けられた貼付ラベルＬの固有ＩＤを読み取り、読み取った固有ＩＤを情報管理サーバー２に送信して、テープカートリッジＣの情報提供申請を行う。
【００２３】
情報管理サーバー２は、各テープ印刷システム１からの情報管理申請を受けて、申請されたテープカートリッジＣに固有ＩＤを割り当てると共に、割り当てた固有ＩＤを、申請元のテープ印刷システム１に送信する。また、情報管理サーバー２は、当該固有ＩＤによって、テープカートリッジＣの固有情報の管理を行い、テープ印刷システム１からの情報提供申請を受けて、申請がなされたテープ印刷システム１に対し、テープカートリッジＣの固有情報を提供する。
【００２４】
ここで、テープ印刷システム１および情報管理サーバー２の詳細について説明する前に、情報管理の対象となるテープカートリッジＣについて説明する。図２（ａ）に示すように、テープカートリッジＣは、印刷テープ（印刷媒体）Ｔを巻回したテープリール１１と、インクリボンＲを巻回したリボンリール１２と、これらを収容したカートリッジケース１３とを有している。すなわち、テープカートリッジＣは、印刷テープＴおよびインクリボンＲを消耗品として収容している。テープカートリッジＣは、印刷テープＴの色、光沢、模様、幅、厚み、材質、インクリボンＲの色、幅などが異なる、複数種類のものが用意されている。
【００２５】
また、カートリッジケース１３には、貼付ラベルＬを貼り付けるためのラベル貼付領域１６と、ラベル貼付領域１６に臨み、貼付ラベルＬを貼り付ける際の位置決めとなるガイド凸部１７と、が設けられている。貼付ラベルＬをテープカートリッジＣに貼り付ける際には、ガイド凸部１７で貼付ラベルＬの一端を位置決めしつつ、貼付ラベルＬをラベル貼付領域１６に貼り付ける。貼付ラベルＬ貼付け後のテープカートリッジＣを、図２（ｂ）に示す。
【００２６】
次に図１および図３を参照して、テープ印刷システム１および情報管理サーバー２の構成について説明する。なお、図３では、テープ印刷システム１を１つのみ図示し、他のテープ印刷システム１については図示を省略している。図３に示すように、情報管理サーバー２は、サーバー通信部２１と、サーバー記憶部２２と、サーバー制御部２３と、を備えている。
【００２７】
サーバー通信部２１は、テープ印刷システム１との通信を行う。サーバー記憶部２２は、商品情報データベースＤＢ１と、固有情報データベースＤＢ２と、を記憶している。
【００２８】
商品情報データベースＤＢ１は、各テープカートリッジＣの商品情報を管理するデータベースである。商品情報データベースＤＢ１は、商品コードと、商品コードが示すテープカートリッジＣの商品情報とを関連付けて記憶している。商品情報には、テープ色情報（地色情報）、テープ光沢情報（光沢情報）、テープ模様情報（模様情報）、テープ初期長情報、テープ幅情報、テープ材質情報（材質情報）、テープ厚み情報（厚み情報）、カット特性情報、リボン色情報（インクリボンＲの色情報）、リボン初期長情報（インクリボンＲの寸法情報）、印刷条件情報およびメディア分類情報が含まれている。なお、「印刷媒体の寸法情報」は、テープ初期長情報およびテープ幅情報である。
【００２９】
テープ色情報は、印刷テープＴの印刷面の色（地色）に関する情報である。テープ光沢情報は、印刷テープＴの印刷面の光沢に関する情報である。テープ模様情報は、印刷テープＴの印刷面の模様（地紋、絵柄等）に関する情報であり、模様の有無、模様の名称、模様の画像データ、タイリング（いわゆる模様のリピート）の有無等に関する情報である。
【００３０】
テープ初期長情報は、使用前のテープカートリッジＣに収容された印刷テープＴの長さ、すなわち印刷テープＴのテープ初期長に関する情報である。テープ材質情報は、印刷テープＴの材質に関する情報である。テープ厚み情報は、印刷テープＴの厚さに関する情報である。
【００３１】
カット特性情報は、カット特性、すなわち、印刷テープＴを切断することの適否を示す情報である。リボン色情報は、インクリボンＲの色に関する情報である。リボン初期長情報は、使用前のテープカートリッジＣに収容されたインクリボンＲの長さ、すなわちインクリボンＲのリボン初期長に関する情報である。
【００３２】
印刷条件情報には、印刷テープＴの材質に応じた印刷濃度（印刷ヘッドの発熱温度）の制限値や印刷速度の制限値、印刷テープＴとインクリボンＲとの組み合わせに応じた印刷濃度に対するγ特性値、などの情報が含まれる。メディア分類情報には、印刷テープＴが剥離紙付きであるか否か、印刷テープＴがダイカットラベルテープであるか否か、などの情報が含まれる。
【００３３】
固有情報データベースＤＢ２は、テープカートリッジＣ個々の情報を管理するデータベースである。固有情報データベースＤＢ２は、テープカートリッジＣ個々を示す固有ＩＤと、テープカートリッジＣ個々の固有情報と、を関連付けて記憶する。固有情報には、上記テープ色情報、テープ光沢情報、テープ模様情報、テープ初期長情報、テープ幅情報、テープ材質情報、テープ厚み情報、カット特性情報、リボン色情報、リボン初期長情報、印刷条件情報およびメディア分類情報に加え、テープ残量情報（残量情報）およびリボン残量情報が含まれている。
【００３４】
テープ残量情報は、印刷テープＴの残量長さ（以下、テープ残量）に関する情報である。リボン残量情報は、インクリボンＲの残量長さ（以下、リボン残量）に関する情報である。
【００３５】
サーバー制御部２３は、サーバー通信部２１によりテープ印刷システム１から商品ＩＤを受信しテープカートリッジＣの情報管理申請を受けると、当該テープカートリッジＣに割り当てる固有ＩＤを新たに生成する。そして、受信した商品ＩＤに基づいて、商品情報データベースＤＢ１から、商品ＩＤに関連付けられた商品情報を抽出し、抽出した商品情報に基づく固有情報を、生成した固有ＩＤに関連付けて固有情報データベースＤＢ２に登録（記録）する。すなわち、抽出した商品情報の各情報を、固有情報の各情報として記録しつつ、抽出した商品情報中のテープ初期長情報を、テープ残量情報の初期値として記録し、抽出した商品情報中のリボン初期長情報を、リボン残量情報の初期値として記録する。
【００３６】
また、サーバー制御部２３は、サーバー通信部２１により、テープ印刷システム１から、印刷テープＴおよびインクリボンＲの使用量情報を受信し、これを受けて、固有情報データベースＤＢ２上のテープ残量情報およびリボン残量情報を更新する。
【００３７】
さらに、サーバー制御部２３は、サーバー通信部２１により、テープ印刷システム１から固有ＩＤを受信し、テープカートリッジＣの情報提供申請を受けると、受信した固有ＩＤに基づいて、固有情報データベースＤＢ２から、当該固有ＩＤに関連付けられたテープカートリッジＣの固有情報を抽出する。そして、サーバー通信部２１により、抽出したテープカートリッジＣの固有情報を、テープ印刷システム１に送信する。
【００３８】
次に、テープ印刷システム１について説明する。図１に示すように、各テープ印刷システム１は、テープカートリッジＣを装着して印刷テープＴに印刷を行うテープ印刷装置（印刷装置）２６と、テープ印刷装置２６に接続されたホストコンピューター２７と、を備えている。図１の例では、テープ印刷装置２６とホストコンピューター２７とを有線で接続しているが、テープ印刷装置２６とホストコンピューター２７とを無線で接続する構成であっても良い。
【００３９】
図３に示すように、テープ印刷装置２６は、カートリッジ装着部３１と、印刷部３２と、切断部３３と、コード読取部３４と、装置通信部３５と、装置制御部３６と、を備えている。本実施形態では、テープ印刷装置２６を、貼付ラベルＬを作成するラベル作成装置としても利用し、またテープ印刷装置２６に、商品コードを読み取るコード読取装置が組み込まれた構成となっている。なお、「情報取得装置」は、テープ印刷装置２６およびホストコンピューター２７により構成されている。
【００４０】
カートリッジ装着部３１は、テープカートリッジＣを着脱自在に装着する。
【００４１】
印刷部３２は、サーマル式の印刷ヘッドを有し、カートリッジ装着部３１に装着されたテープカートリッジＣから印刷テープＴを繰り出して送りつつ、繰り出した印刷テープＴに対し印刷ヘッドによりインクリボンＲを熱転写して、印刷テープＴに印刷を行う。切断部３３は、印刷テープＴを切断する。テープ印刷装置２６では、印刷部３２により印刷テープＴに印刷処理を施すと共に、切断部３３により、印刷テープＴの処理済み部分を切断することで、ラベルを作成する。本テープ印刷装置２６では、固有ＩＤを印刷した貼付ラベルＬを作成すると共に、ホストコンピューター２７からの印刷データに基づくユーザー所望のラベルを作成する。すなわち、「ラベル作成部」は、印刷部３２および切断部３３により構成されている。
【００４２】
コード読取部３４は、テープカートリッジＣのパッケージＰに印刷（形成）された商品コードを読み取ると共に、テープカートリッジＣに貼り付けられた貼付ラベルＬの固有ＩＤを読み取る。当該商品コードおよび固有ＩＤは、いずれも二次元コード（コード画像）Ａ１、Ａ２として印刷されており、コード読取部３４は、当該二次元コードＡ１、Ａ２を光学的に読み取ることで、商品コードおよび固有ＩＤを読み取る構成となっている。ここでは、パッケージＰに印刷された商品コードの二次元コードを、パッケージ二次元コードＡ１と呼称し、貼付ラベルＬに印刷された固有ＩＤの二次元コードを、ラベル二次元コードＡ２と呼称する。ここで図４および図５を参照して、コード読取部３４の構成について説明する。なお、図４では、説明の便宜上、テープ印刷装置２６の装置ケースを一部透過して図示している。
【００４３】
図４に示すように、テープ印刷装置２６の内側に、上記カートリッジ装着部３１が設けられ、テープ印刷装置２６の外側（上側）に、テープカートリッジＣのパッケージＰをセットする箱セット部３８が設けられている。そして、カートリッジ装着部３１と箱セット部３８との間に、コード読取部３４が配設されている。
【００４４】
箱セット部３８は、パッケージＰのパッケージ二次元コードＡ１が印刷された面をセットする箱セット領域４１と、箱セット領域４１に臨み、パッケージＰの一端を位置決めするための箱ガイド凸部４２と、パッケージＰのピン受け穴Ｐａ（図５（ａ）参照）に係合して、パッケージＰをピン受け穴Ｐａで位置決めするための位置決めピン４３と、箱セット領域４１上に開口された箱読取り窓４４と、を有している。パッケージＰをセットする際には、箱ガイド凸部４２でパッケージＰの一端を、位置決めピン４３でパッケージＰのピン受け穴Ｐａを位置決めしつつ、パッケージＰのパッケージ二次元コードＡ１が印刷された面を、箱セット領域４１にセットする（図５（ａ）参照）。
【００４５】
コード読取部３４は、エリアセンサー５１と、撮像レンズ５２と、反射鏡５３と、向き切り替え手段５４と、照明手段５５と、画像処理手段（図示省略）と、を有している。
【００４６】
エリアセンサー５１は、読取対象（二次元コードＡ１、Ａ２）の反射光を、撮像レンズ５２および反射鏡５３を介して受光し、撮像画像を取得する。撮像レンズ５２は、反射鏡５３からの光（二次元コードＡ１、Ａ２の反射光）をエリアセンサー５１に集光する。
【００４７】
反射鏡５３は、読取対象である二次元コードＡ１、Ａ２の反射光を略直角に反射して撮像レンズ５２に導く。向き切り替え手段５４は、反射鏡５３を回転させて、反射鏡５３の向きを、箱セット部３８側向き（図５（ａ）参照）と、カートリッジ装着部３１側向き（図５（ｂ）参照）との間で切り替える。向き切り替え手段５４によって、反射鏡５３の向きが、箱セット部３８側向きに切り替えられている状態では、反射鏡５３が、パッケージＰに印刷されたパッケージ二次元コードＡ１の反射光を、箱読取り窓４４を介して受け、これを反射して撮像レンズ５２に導く。一方、向き切り替え手段５４によって、反射鏡５３の向きが、カートリッジ装着部３１側向きに切り替えられている状態では、反射鏡５３が、貼付ラベルＬに印刷されたラベル二次元コードＡ２の反射光を、カートリッジ装着部３１に形成された読取り窓３１ａを介して受け、これを反射して撮像レンズ５２に導く。このように、向き切り替え手段５４によって、コード読取部３４の読取対象を切り替えることができる。
【００４８】
照明手段５５は、ＬＥＤ（Light  Emitting  Diode）、ＥＬ（Electroluminescence）等で構成されており、二次元コードＡ１、Ａ２の読取り時の照明を行う。照明手段５５は、図外の取付部材によって、反射鏡５３に取り付けられており、向き切り替え手段５４によって、反射鏡５３と共に回転するように構成されている。
【００４９】
画像処理部５６は、撮像画像に対し画像処理を行い、二次元コードＡ１、Ａ２に含まれる情報を取得する。すなわち、パッケージＰに印刷されたパッケージ二次元コードＡ１から、商品コードを取得し、貼付ラベルＬに印刷されたラベル二次元コードＡ２から、固有ＩＤを取得する。
【００５０】
商品コードの読取り動作では、ユーザーによって、パッケージＰが箱セット部３８にセットされた状態で、向き切り替え手段５４により、反射鏡５３の向きを、箱セット部３８側向きに切り替える。そして、照明手段５５をＯＮ（点灯）にし、パッケージＰのパッケージ二次元コードＡ１の読取りを行う。その後、照明手段５５をＯＦＦ（消灯）にして、本読取り動作を終了する。
【００５１】
一方、固有ＩＤの読取り動作では、ユーザーによって、テープカートリッジＣがカートリッジ装着部３１に装着された状態で、向き切り替え手段５４により、反射鏡５３の向きを、カートリッジ装着部３１側向きに切り替える。そして、照明手段５５をＯＮ（点灯）にし、貼付ラベルＬのラベル二次元コードＡ２の読取りを行う。その後、照明手段５５をＯＦＦ（消灯）にして、本読取り動作を終了する。
【００５２】
図３に戻り、装置通信部３５は、ホストコンピューター２７との通信を行う。具体的には、装置通信部３５は、ホストコンピューター２７から、商品コードの読み取り指示を受信し、ホストコンピューター２７に、商品コードを送信する。また、装置通信部３５は、ホストコンピューター２７から、固有ＩＤの読み取り指示を受信し、ホストコンピューター２７に、固有ＩＤを送信する。
【００５３】
装置制御部３６は、印刷部３２および切断部３３によるラベル作成処理、コード読取部３４による読取り処理および、装置通信部３５による通信処理を制御する。
【００５４】
図１および図３に示すように、ホストコンピューター２７は、キーボード６１やマウス６２等を有する入力部６３と、ディスプレイ６４等を有する表示部６５とを備えている。また、図１では図示省略するが、ホスト通信部６６と、ホスト記憶部６７と、ホスト制御部６８と、を備えている。
【００５５】
ホスト通信部６６は、テープ印刷装置２６との通信を行うと共に、情報管理サーバー２との通信を行う。具体的には、ホスト通信部６６は、テープ印刷装置２６に、商品コードの読み取り指示を送信し、テープ印刷装置２６から商品コードを受信する。また、ホスト通信部６６は、情報管理サーバー２に商品コードを送信し、情報管理サーバー２から固有ＩＤを受信する。さらに、ホスト通信部６６は、テープ印刷装置２６に、固有ＩＤの読み取り指示を送信し、テープ印刷装置２６から固有ＩＤを受信する。またさらに、ホスト通信部６６は、情報管理サーバー２に固有ＩＤを送信し、情報管理サーバー２からテープカートリッジＣの固有情報を受信する。
【００５６】
ホスト記憶部６７は、専用アプリケーションＡＰを記憶している。専用アプリケーションＡＰは、後述する編集画面Ｇ（図６参照）を表示部６５に表示すると共に、編集画面Ｇにおけるユーザーからのテキスト入力に基づいて、印刷データを作成するためのアプリケーションである。
【００５７】
ホスト制御部６８は、専用アプリケーションＡＰに従って、表示部６５による編集画面Ｇの表示処理、ホスト通信部６６による通信処理および、印刷データの生成処理を制御する。ホスト制御部６８は、ホスト通信部６６により、情報管理サーバー２から固有ＩＤを受信し、これに基づいて、貼付ラベルＬを作成するための印刷データ（ラベル二次元コードＡ２の印刷データ）を生成する。また、ホスト制御部６８は、ホスト通信部６６により、情報管理サーバー２からテープカートリッジＣの固有情報を受信し、受信したテープカートリッジＣの固有情報に基づいて、編集画面Ｇを表示する。そして、編集画面Ｇにおいて入力されたテキストに基づいて、ユーザー所望のラベルを作成するための印刷データを生成する。
【００５８】
ここで図６を参照して、ホストコンピューター２７で表示される編集画面Ｇについて説明する。図６に示すように、編集画面Ｇは、上から順に、プレビュー表示領域７１と、カートリッジ情報表示領域７２と、テキスト編集領域７３と、を有している。
【００５９】
テキスト編集領域７３は、ユーザーが、印刷しようとするテキストの入力・編集を行うための領域である。図６では、ユーザーが入力部６３により「いんさつ文字」と入力した例を示す。
【００６０】
カートリッジ情報表示領域７２は、情報管理サーバー２から取得したテープカートリッジＣの固有情報を表示するための領域である。カートリッジ情報表示領域７２では、テープ残量情報（「テープ長さ」）と、リボン残量情報（「リボン長さ」）と、テープ材質情報およびカット特性情報（「テープ種類」）と、テープ厚み情報（テープ厚さ）とを表示する。また、カートリッジ情報表示領域７２では、テープ残量情報に隣接して、テープ残量の比率を示すバーメーターＢ１を表示し、リボン残量情報に隣接して、リボン残量の比率を示すバーメーターＢ２を表示する。テープ残量の比率は、テープ残量情報およびテープ初期長情報に基づいて算出され、リボン残量の比率は、リボン残量情報およびリボン初期長情報に基づいて算出される。
【００６１】
プレビュー表示領域７１は、印刷プレビュー画像７８を表示するための領域である。プレビュー表示領域７１では、情報管理サーバー２から取得したテープカートリッジＣの固有情報に基づいて、印刷プレビュー画像７８を表示する。具体的には、印刷プレビュー画像７８の文字色を、リボン色情報に基づく色で表示する。また、印刷プレビュー画像７８のテープ幅を、テープ幅情報に基づく幅で表示する。さらに、印刷プレビュー画像７８の印刷テープＴの印刷面の色、光沢、模様を、テープ色情報、テープ光沢情報、テープ模様情報に基づく、色、光沢、模様で表示する。図６（ａ）は、印刷面が色付きで、印刷面に光沢および模様がない場合の印刷プレビュー画像７８を示した図である。図６（ｂ）は、印刷面が色付きで、印刷面に光沢があり模様がない場合の印刷プレビュー画像７８を示した図である。図６（ｃ）は、印刷面に光沢がなく模様がある場合の印刷プレビュー画像７８を示した図である。
【００６２】
次に図７を参照して、情報管理システムＳＹによる情報管理登録動作について説明する。この情報管理登録動作は、ホストコンピューター２７が、テープ印刷装置２６にパッケージＰの商品コードを読み取らせると共に、読み取らせた商品コードを送信して情報管理申請を行い、情報管理サーバー２が、これを受けて、申請対象のテープカートリッジＣを情報管理対象として登録するものである。本情報管理登録動作は、申請対象となるテープカートリッジＣが、テープ印刷装置２６のカートリッジ装着部３１に装着され、当該テープカートリッジＣのパッケージＰが、テープ印刷装置２６の箱セット部３８にセットされた状態で行われるものとする。
【００６３】
図７に示すように、まず、ホストコンピューター２７は、テープ印刷装置２６に、商品コードの読み取り指示を送信する（Ｓ１）。これに対し、テープ印刷装置２６は、ホストコンピューター２７からの当該読み取り指示を受けて、コード読取部３４により、パッケージＰの商品コードを読み取る（Ｓ２）。その後、装置通信部３５により、読み取った商品コード（読取結果）を、ホストコンピューター２７に送信する（Ｓ３）。
【００６４】
これに対し、ホストコンピューター２７は、ホスト通信部６６により、テープ印刷装置２６からの商品コードを受信し（Ｓ４）、受信した商品コードを、情報管理サーバー２に送信する（Ｓ５）。これによって、テープカートリッジＣの情報管理申請を行う。
【００６５】
これに対し、情報管理サーバー２は、サーバー通信部２１により、ホストコンピューター２７からの商品コードを受信し（Ｓ６）、これを受けて、申請対象のテープカートリッジＣに割り当てる固有ＩＤを生成する（Ｓ７）。その後、受信した商品コードに関連付けられた商品情報を商品情報データベースＤＢ１から抽出し（Ｓ８）、抽出した商品情報に基づく固有情報を、生成した固有ＩＤに関連付けて固有情報データベースＤＢ２に登録する（Ｓ９）。これによって、申請対象のテープカートリッジＣが、情報管理対象として登録される。固有ＩＤおよび固有情報を固有情報データベースＤＢ２に登録したら、サーバー通信部２１により、当該固有ＩＤをホストコンピューター２７に送信する（Ｓ１０）。
【００６６】
これに対し、ホストコンピューター２７は、ホスト通信部６６により、情報管理サーバー２からの固有ＩＤを受信し（Ｓ１１）、当該固有ＩＤのラベル二次元コードＡ２を印刷するための印刷データを生成する（Ｓ１２）。その後、ホスト通信部６６により、生成したラベル二次元コードＡ２の印刷データを、テープ印刷装置２６に送信する（Ｓ１３）。テープ印刷装置２６は、装置通信部３５により、ホストコンピューター２７からのラベル二次元コードＡ２の印刷データを受信し（Ｓ１４）、印刷部３２および切断部３３により、受信した印刷データに基づいて、貼付ラベルＬを作成する（Ｓ１５）。すなわち、固有ＩＤをラベル二次元コードＡ２として印刷テープＴに印刷して、貼付ラベルＬを作成する。貼付ラベルＬを作成したら、装置通信部３５により、ラベル作成の完了通知をホストコンピューター２７に送信する（Ｓ１６）。
【００６７】
これに対し、ホストコンピューター２７は、ホスト通信部６６により、テープ印刷装置２６からのラベル作成の完了通知を受信し（Ｓ１７）、貼付ラベルＬの作成によって使用された印刷テープＴおよびインクリボンＲの使用量を示す使用量情報を、固有ＩＤと共に、情報管理サーバー２に送信する（Ｓ１８）。
【００６８】
これに対し、情報管理サーバー２は、サーバー通信部２１により、ホストコンピューター２７からの使用量情報および固有ＩＤを受信し（Ｓ１９）、受信した使用量情報および固有ＩＤに基づいて、固有情報データベースＤＢ２のテープ残量情報およびリボン残量情報を更新する（Ｓ２０）。すなわち、受信した固有ＩＤに関連付けられた固有情報のテープ残量情報を、受信した印刷テープＴの使用量情報に基づいて減算して更新し、当該固有情報のリボン残量情報を、受信したインクリボンＲの使用量情報に基づいて減算して更新する。
【００６９】
一方で、ホストコンピューター２７は、表示部６５により、貼付ラベルＬをテープカートリッジＣに貼り付ける旨の表示を行う（Ｓ２１）。これにより、本情報管理登録動作を終了する。
【００７０】
次に図８を参照して、情報管理システムＳＹによるラベル作成動作について説明する。このラベル作成動作は、上記情報管理登録動作で登録済みのテープカートリッジＣを使用して、ユーザー所望のラベルを作成するものである。本ラベル作成動作は、登録済みのテープカートリッジＣに貼付ラベルＬが貼り付けられ、当該テープカートリッジＣが、カートリッジ装着部３１に装着された状態で行われるものとする。
【００７１】
図８に示すように、まず、ホストコンピューター２７は、テープ印刷装置２６に、固有ＩＤの読み取り指示を送信する（Ｓ３１）。これに対し、テープ印刷装置２６は、ホストコンピューター２７からの当該読み取り指示を受けて、コード読取部３４により、テープカートリッジＣに貼付された貼付ラベルＬの固有ＩＤを読み取る（Ｓ３２）。その後、装置通信部３５により、読み取った固有ＩＤを、ホストコンピューター２７に送信する（Ｓ３３）。
【００７２】
これに対し、ホストコンピューター２７は、ホスト通信部６６により、テープ印刷装置２６からの固有ＩＤを受信し（Ｓ３４）、受信した固有ＩＤを、情報管理サーバー２に送信する（Ｓ３５）。これによって、テープカートリッジＣの情報提供申請を行う。
【００７３】
これに対し、情報管理サーバー２は、サーバー通信部２１により、ホストコンピューター２７からの固有ＩＤを受信し（Ｓ３６）、固有情報データベースＤＢ２から、受信した固有ＩＤに関連付けられたテープカートリッジＣの固有情報を抽出する（Ｓ３７）。その後、サーバー通信部２１により、抽出したテープカートリッジＣの固有情報を、ホストコンピューター２７に送信する（Ｓ３８）。
【００７４】
これに対し、ホストコンピューター２７は、ホスト通信部６６により、情報管理サーバー２からのテープカートリッジＣの固有情報を受信し（Ｓ３９）、当該固有情報中のテープ残量情報およびリボン残量情報を参照して、テープ残量およびリボン残量が０（ゼロ）であるか否かを判定する（Ｓ４０）。テープ残量またはリボン残量が０である場合（Ｓ４０；Ｙｅｓ）には、ホストコンピューター２７は、表示部６５により、印刷テープＴまたはインクリボンＲの残量がない旨の表示を行う（Ｓ３０）。これにより、本ラベル作成動作を終了する。
【００７５】
一方、テープ残量およびリボン残量が０でない場合（Ｓ４０；Ｎｏ）には、ホストコンピューター２７は、表示部６５により、受信した当該固有情報に基づいて、上記編集画面Ｇを表示する（Ｓ４２）。その後、ユーザーによるテキストの入力待ち状態に移行する（Ｓ４３）。
【００７６】
入力部６３によりユーザーによって、編集画面Ｇ上にテキストが入力されたら（入力が完了したら）（Ｓ４３；Ｙｅｓ）、入力されたテキストに基づいて、印刷データを生成する（Ｓ４４）。その後、ホスト通信部６６により、生成した印刷データを、テープ印刷装置２６に送信する（Ｓ４５）。
【００７７】
これに対し、テープ印刷装置２６は、装置通信部３５により、ホストコンピューター２７からの印刷データを受信し（Ｓ４６）、印刷部３２および切断部３３により、当該印刷データに基づくラベルを作成する（Ｓ４７）。なお、図示省略するが、Ｓ４７の工程において、ラベル作成に用いる印刷テープＴおよびインクリボンＲの使用量が、テープ残量情報およびリボン残量情報の、テープ残量およびリボン残量を超えている場合には、ラベル作成をキャンセルする。
【００７８】
ラベルを作成したら、装置通信部３５により、ラベル作成の完了通知をホストコンピューター２７に送信する（Ｓ４８）。これに対し、ホストコンピューター２７は、ホスト通信部６６により、テープ印刷装置２６からのラベル作成の完了通知を受信し（Ｓ４９）、ラベル作成で使用された印刷テープＴおよびインクリボンＲの使用量を示す使用量情報を、固有ＩＤと共に、情報管理サーバー２に送信する（Ｓ５０）。これに対し、情報管理サーバー２は、サーバー通信部２１により、ホストコンピューター２７からの使用量情報および固有ＩＤを受信し（Ｓ５１）、受信した使用量情報および固有ＩＤに基づいて、固有情報データベースＤＢ２のテープ残量情報およびリボン残量情報を更新する（Ｓ５２）。これにより、本ラベル作成動作を終了する。
【００７９】
［第２実施形態］
次に図９ないし図１１を参照して、第２実施形態の情報管理システムＳＹについて、第１実施形態と異なる部分のみ説明する。第２実施形態の情報管理システムＳＹでは、パッケージＰに印刷された商品コード（パッケージ二次元コードＡ１）の読取りを、ホストコンピューター２７側で行う構成を有している。
【００８０】
図９に示すように、第２実施形態の情報管理システムＳＹでは、ホストコンピューター２７は、図３に記載の各部に加え、撮像カメラ８１と、カメラ画像処理部８２と、を備えている。撮像カメラ８１により、パッケージＰに印刷されたパッケージ二次元コードＡ１を撮像し、カメラ画像処理部８２により、撮像画像に対し画像処理を行い、パッケージ二次元コードＡ１に含まれた商品コードを取得する。このように、第２実施形態では、ホストコンピューター２７に撮像カメラ８１およびカメラ画像処理部８２を備えることで、ホストコンピューター２７が、商品コードを読み取るコード読取装置として機能する。
【００８１】
一方、図１０に示すように、テープ印刷装置２６では、商品コードの読取りを行わないため、箱セット部３８と、コード読取部３４の向き切り替え手段５４とを省略した構成となっている。すなわち、反射鏡５３の向きが、カートリッジ装着部３１側向きに固定されている。
【００８２】
次に図１１を参照して、第２実施形態の情報管理システムＳＹによる情報管理登録動作について説明する。図１１に示すように、まず、ホストコンピューター２７は、撮像カメラ８１およびカメラ画像処理部８２により、パッケージＰの商品コードを読み取る（Ｓ６１）。その後、ホスト通信部６６により、読み取った商品コードを、情報管理サーバー２に送信する（Ｓ６２）。
【００８３】
これに対し、情報管理サーバー２は、サーバー通信部２１により、ホストコンピューター２７からの商品コードを受信する（Ｓ６３）。その後、第１実施形態と同様、固有ＩＤの生成（Ｓ６４）と、商品情報の抽出（Ｓ６５）と、固有ＩＤおよび固有情報の登録（Ｓ６６）と、を行う。固有ＩＤおよび固有情報を固有情報データベースＤＢ２に登録したら、サーバー通信部２１により、当該固有ＩＤをホストコンピューター２７に送信する（Ｓ６７）。
【００８４】
これに対し、ホストコンピューター２７は、ホスト通信部６６により、情報管理サーバー２からの固有ＩＤを受信し（Ｓ６８）、当該固有ＩＤのラベル二次元コードＡ２を印刷するための印刷データを生成する（Ｓ６９）。その後、ホスト通信部６６により、生成したラベル二次元コードＡ２の印刷データを、テープ印刷装置２６に送信する（Ｓ７０）。これに対し、テープ印刷装置２６は、装置通信部３５により、ホストコンピューター２７からのラベル二次元コードＡ２の印刷データを受信し（Ｓ７１）、印刷部３２および切断部３３により、受信した印刷データに基づいて、貼付ラベルＬを作成する（Ｓ７２）。貼付ラベルＬを作成したら、装置通信部３５により、ラベル作成の完了通知をホストコンピューター２７に送信する（Ｓ７３）。
【００８５】
これに対し、ホストコンピューター２７は、ホスト通信部６６により、テープ印刷装置２６からのラベル作成の完了通知を受信し（Ｓ７４）、貼付ラベルＬの作成によって使用された印刷テープＴおよびインクリボンＲの使用量を示す使用量情報を、固有ＩＤと共に、情報管理サーバー２に送信する（７５）。これに対し、情報管理サーバー２は、サーバー通信部２１により、ホストコンピューター２７からの使用量情報および固有ＩＤを受信し（Ｓ７６）、受信した使用量情報および固有ＩＤに基づいて、固有情報データベースＤＢ２のテープ残量情報およびリボン残量情報を更新する（Ｓ７７）。
【００８６】
一方で、ホストコンピューター２７は、表示部６５により、貼付ラベルＬをテープカートリッジＣに貼り付ける旨の表示を行う（Ｓ７８）。これにより、本情報管理登録動作を終了する。
【００８７】
［第３実施形態］
次に図１２および図１３を参照して、第３実施形態にかかる情報管理システムＳＹについて、第２実施形態と異なる部分のみ説明する。第３実施形態の情報管理システムＳＹでは、商品コード（パッケージ二次元コードＡ１）の読取りに加え、貼付ラベルＬに印刷された固有ＩＤ（ラベル二次元コードＡ２）の読取りについても、ホストコンピューター２７側で行う構成を有している。
【００８８】
図１２に示すように、第３実施形態の情報管理システムＳＹでは、テープ印刷装置２６において、コード読取部３４を省略した構成となっている。また、ホストコンピューター２７において、撮像カメラ８１により、貼付ラベルＬに印刷されたラベル二次元コードＡ２を撮像し、カメラ画像処理部８２により、撮像画像に対し画像処理を行って、ラベル二次元コードＡ２に含まれた固有ＩＤを取得する。すなわち、撮像カメラ８１およびカメラ画像処理部８２により、パッケージＰの商品コードと、貼付ラベルＬの固有ＩＤと、を読取り可能に構成されている。第３実施形態では、「情報取得装置」は、ホストコンピューター２７により構成されている。
【００８９】
次に図１３を参照して、第３実施形態の情報管理システムＳＹによるラベル作成動作について説明する。図１３に示すように、まず、ホストコンピューター２７は、撮像カメラ８１およびカメラ画像処理部８２により、テープカートリッジＣに貼付された貼付ラベルＬの固有ＩＤを読み取る（Ｓ８１）。その後、ホスト通信部６６により、読み取った固有ＩＤを、情報管理サーバー２に送信する（Ｓ８２）。
【００９０】
これに対し、情報管理サーバー２は、サーバー通信部２１により、ホストコンピューター２７からの固有ＩＤを受信し（Ｓ８３）、固有情報データベースＤＢ２から、受信した固有ＩＤに関連付けられたテープカートリッジＣの固有情報を抽出する（Ｓ８４）。その後、サーバー通信部２１により、抽出したテープカートリッジＣの固有情報を、ホストコンピューター２７に送信する（Ｓ８５）。
【００９１】
これに対し、ホストコンピューター２７は、ホスト通信部６６により、情報管理サーバー２からのテープカートリッジＣの固有情報を受信し（Ｓ８６）、当該固有情報中のテープ残量情報およびリボン残量情報を参照して、テープ残量およびリボン残量が０（ゼロ）でないか否かを判定する（Ｓ８７）。テープ残量またはリボン残量が０である場合（Ｓ８７；Ｎｏ）には、表示部６５により、印刷テープＴまたはインクリボンＲの残量がない旨の表示を行う（Ｓ８８）。これにより、本ラベル作成動作を終了する。
【００９２】
一方、テープ残量およびリボン残量が０でない場合（Ｓ８７；Ｙｅｓ）には、表示部６５により、テープカートリッジＣの固有情報に基づいて、編集画面Ｇを表示する（Ｓ８９）。その後、ユーザーによるテキストの入力待ち状態に移行する（Ｓ９０）。
【００９３】
入力部６３によりユーザーによって、編集画面Ｇ上にテキストが入力されたら（Ｓ９０；Ｙｅｓ）、入力されたテキストに基づいて、印刷データを生成する（Ｓ９１）。その後、ホスト通信部６６により、生成した印刷データを、テープ印刷装置２６に送信する（Ｓ９２）。
【００９４】
これに対し、テープ印刷装置２６は、装置通信部３５により、ホストコンピューター２７からの印刷データを受信し（Ｓ９３）、印刷部３２および切断部３３により、印刷データに基づくラベルを作成する（Ｓ９４）。ラベルを作成したら、装置通信部３５により、ラベル作成の完了通知を、ホストコンピューター２７に送信する（Ｓ９５）。
【００９５】
これに対し、ホストコンピューター２７は、ホスト通信部６６により、テープ印刷装置２６からの、ラベル作成の完了通知を受信する（Ｓ９６）。当該完了通知を受信したら、ホスト通信部６６により、ラベル作成で使用された印刷テープＴおよびインクリボンＲの使用量を示す使用量情報を、固有ＩＤと共に、情報管理サーバー２に送信する（Ｓ９７）。
【００９６】
これに対し、情報管理サーバー２は、サーバー通信部２１により、テープ印刷装置２６からの使用量情報および固有ＩＤを受信し（Ｓ９８）、受信した使用量情報および固有ＩＤに基づいて、固有情報データベースＤＢ２のテープ残量情報およびリボン残量情報を更新する（Ｓ９９）。これにより、本ラベル作成動作を終了する。
【００９７】
以上の各実施形態の構成によれば、無線タグ回路素子を用いる必要がなく、また製造工程において、固有ＩＤの割当てや貼付ラベルＬの作成・貼付を行う必要がないため、テープカートリッジＣを安価にすることができる。また、貼付ラベルＬに印刷された固有ＩＤを読み取って、情報管理サーバー２からテープカートリッジＣの固有情報を取得する構成であるため、情報取得装置（テープ印刷装置２６またはホストコンピューター２７）を安価にすることができる。さらに、販売後に、固有ＩＤの割当てや、貼付ラベルＬの作成・貼付を行うことができるので、既に販売されたテープカートリッジＣについても情報管理を行うことができる。またさらに、情報管理サーバー２が、商品コードの読取結果を受けて、固有ＩＤの割当てを行う構成であるため、固有ＩＤの割当て時に、商品コードに基づいて得られた商品情報を、固有ＩＤに関連付けて記憶することができる。
【００９８】
また、テープ残量情報およびリボン残量情報を、情報管理サーバー２上で管理し、これらの情報を複数のテープ印刷システム１で共有する構成であるため、任意のテープ印刷装置２６で使用したテープカートリッジＣを、別のテープ印刷装置２６で使用するようなケースでも、テープ残量およびリボン残量を正確に得ることができる。よって、印刷テープ切れやインクリボン切れによるラベル作成エラーや、テープ印刷装置２６の破損を防止することができる。
【００９９】
さらに、固有ＩＤを、ラベル二次元コードＡ２として印刷することで、固有ＩＤを容易に読み取ることができるため、情報取得装置をより安価にすることができる。
【０１００】
またさらに、テープ印刷装置２６を、貼付ラベルＬを作成するラベル作成装置として利用することで、別途ラベル作成装置を備える必要がなく、情報管理システムＳＹを簡単な構成にすることができる。
【０１０１】
また、第１実施形態および第２実施形態において、テープ印刷装置２６に、コード読取装置（コード読取部３４）が組み込まれていることで、別途コード読取装置を備える必要がなく、情報管理システムＳＹをより簡単な構成にすることができる。
【０１０２】
なお、上記第１実施形態においては、コード読取部３４が、向き切り替え手段５４の駆動により読取対象を切り替える構成であったが、コード読取部３４が、パッケージＰをセットした時の力を利用して、読取対象を切り替える構造を有する構成であっても良い。
【０１０３】
例えば、図１４に示すように、コード読取部３４が、向き切り替え手段５４に代えて、先端に位置決めピン４３を取り付けた鏡押し棒９１と、鏡押し棒９１からの力によって、反射鏡５３を退避位置に回動させる回動手段９２と、回動手段９２を回転付勢する「つる巻き」ばね９３と、を備えた構成とする。また、箱セット部３８を、エリアセンサー５１および撮像レンズ５２の先方に設け、反射鏡５３が退避位置に回動した状態では、パッケージＰのパッケージ二次元コードＡ１の反射光が、撮像レンズ５２に導かれるようにする。かかる構成では、パッケージＰのパッケージ二次元コードＡ１（商品コード）を読み取る場合には、パッケージＰのセットに伴って、位置決めピン４３がパッケージＰに押され、その力が鏡押し棒９１を介して回動手段９２に伝わり、反射鏡５３を退避位置に回動させる。これによって、パッケージＰのパッケージ二次元コードＡ１の反射光が、撮像レンズ５２に導かれ、パッケージＰのパッケージ二次元コードＡ１を読取可能な状態となる。一方、貼付ラベルＬのラベル二次元コードＡ２（固有ＩＤ）を読み取る場合には、「つる巻き」ばね９３の付勢力によって回動手段９２が回転し、反射鏡５３を初期位置に回動させる。これによって、反射鏡５３が、貼付ラベルＬのラベル二次元コードＡ２の反射光を垂直に反射して撮像レンズ５２に導き、貼付ラベルＬのラベル二次元コードＡ２を読取可能な状態となる。
【０１０４】
なお、上記各実施形態においては、情報管理サーバー２が、テープカートリッジＣの固有情報として、テープ色情報、テープ光沢情報、テープ模様情報、テープ初期長情報、テープ幅情報、テープ材質情報、テープ厚み情報、カット特性情報、リボン色情報、リボン初期長情報、印刷条件情報、メディア分類情報、テープ残量情報およびリボン残量情報を記憶し管理する構成であったが、これに限るものはない。具体的には、これら各情報に加え、印刷テープＴの色情報の色域を定義する色域情報、リボン色情報の色域を定義する色域情報や、前記色情報とプリンタのドットサイズによるインク濃淡を組み合わせた色管理用のＩＣＣプロファイルを管理する構成であっても良い。
【０１０５】
また、情報管理サーバー２が、テープカートリッジＣの固有情報として、上記各情報に加え、印刷テープＴの使用残期間に関する使用残期間情報を記憶し管理する構成であっても良い。印刷テープＴは、使用開始日からの一定の期間を、使用可能期間（有効期間）としている。例えば、印刷テープＴが有する粘着層の粘着力は、使用開始日から経時的に劣化し、使用可能期限を超えると貼り付けて使用することができなくなる。ここにいう使用残期間は、残りの使用可能期間を示すものである。かかる場合、テープ印刷装置２６またはホストコンピューター２７から情報管理サーバー２に、使用開始日の情報を送信し、当該使用開始日の情報と、商品コードから得られた使用可能期間の情報とに基づいて、使用残期間情報を管理する。
【０１０６】
さらに、情報管理サーバー２が管理するテープカートリッジＣの固有情報に、ユーザーが任意の情報を付加することができる構成であっても良い。すなわち、情報管理サーバー２が、上記各情報に加え、ユーザーが入力もしくは選択した付加情報を記憶し管理する構成であっても良い。
【０１０７】
なお、上記各実施形態においては、固有ＩＤを二次元コード（ラベル二次元コードＡ２）として印刷する構成であったが、固有ＩＤをバーコードとして印刷する構成であっても良い。また、固有ＩＤをキャラクター列で印刷する構成であっても良い。
【０１０８】
また、上記各実施形態においては、商品コードが二次元コード（パッケージ二次元コードＡ１）として印刷されている構成であったが、商品コードがバーコードとして印刷されている構成であっても良い。ひいては、商品コードがキャラクター列で印刷されている構成であっても良い。
【０１０９】
さらに、上記各実施形態においては、テープカートリッジＣのパッケージＰに商品コード（パッケージ二次元コードＡ１）が印刷されており、これを読み取って情報管理申請を行う構成であったが、テープカートリッジＣに商品コードが印刷（形成）されており、これを読み取って情報管理申請を行う構成であっても良い。
【０１１０】
なお、上記各実施形態においては、テープ印刷装置２６を、貼付ラベルＬを作成するラベル作成装置としても利用する構成であったが、テープ印刷装置２６とは別に、貼付ラベルＬのみを作成するラベル作成装置を新たに設ける構成であっても良い。
【０１１１】
また、上記各実施形態においては、情報管理サーバー２から取得したテープカートリッジＣの固有情報を、印刷テープＴおよびインクリボンＲの残量判定と、編集画面Ｇの表示とに利用する構成であったが、取得したテープカートリッジＣの固有情報を、テープ印刷装置２６の印刷設定に利用する構成であっても良い。
【０１１２】
さらに、上記各実施形態においては、固有ＩＤを印刷したラベルとして、テープカートリッジＣに貼付け可能な貼付ラベルＬを作成したが、固有ＩＤが印刷され且つテープカートリッジＣに取り付けられる取付ラベルであれば、これに限るものではない。例えば、固有ＩＤが印刷され且つテープカートリッジＣに取り付け可能な取付け札を作成する構成であっても良い。
【０１１３】
またさらに、上記各実施形態においては、テープカートリッジＣの情報管理に本発明を適用したが、印刷装置に使用される印刷媒体ユニットの情報管理を行うものであれば、これに限るものではない。例えば、ロール紙を有するロール紙ユニットの情報管理に、本発明を適用しても良い。かかる場合、ロール紙の軸部分（軸棒）やその軸部分を支持するフレーム部分に、貼付ラベルを貼り付ける構成となる。
【符号の説明】
【０１１４】
２：情報管理サーバー、  ２６：テープ印刷装置、  ２７：ホストコンピューター、  ３２：印刷部、  ３３：切断部、  ３４：コード読取部、  ３５：装置通信部、  ６６：ホスト通信部、  ８１：撮像カメラ、  ８２：カメラ画像処理部、  Ｃ：テープカートリッジ、  Ｌ：貼付ラベル、  Ｐ：パッケージ、  Ｒ：インクリボン、  ＳＹ：情報管理システム、  Ｔ：印刷テープ
【図１】
2015193113.tif 000003
【図２】
2015193113.tif 000004
【図３】
2015193113.tif 000005
【図４】
2015193113.tif 000006
【図５】
2015193113.tif 000007
【図６】
2015193113.tif 000008
【図７】
2015193113.tif 000009
【図８】
2015193113.tif 000010
【図９】
2015193113.tif 000011
【図１０】
2015193113.tif 000012
【図１１】
2015193113.tif 000013
【図１２】
2015193113.tif 000014
【図１３】
2015193113.tif 000015
【図１４】
2015193113.tif 000016